(57)【要約】【課題】視覚障害のある人や携帯電話を操作することが困難な人などでも、比較的簡単な操作で、２次元バーコードを的確に読み取ることができる２次元バーコード読取装置を提供すること。【解決手段】筒状体の一端開口部には組み込まれているカメラのレンズが他端開口部に対向するように携帯電話を保持する携帯電話ホルダが取り付けられ、他端開口部には印刷された２次元バーコードが前記カメラの焦点範囲に位置するように被写体を保持する被写体ホルダが取り付けられたことを特徴とするもの。【選択図】図１
2009087306.tif 000002
【特許請求の範囲】
【請求項１】
筒状体の一端開口部には組み込まれているカメラのレンズが他端開口部に対向するように携帯電話を保持する携帯電話ホルダが取り付けられ、
他端開口部には印刷された２次元バーコードが前記カメラの焦点範囲に位置するように被写体を保持する被写体ホルダが取り付けられたことを特徴とする２次元バーコード読取装置。
【請求項２】
前記携帯電話ホルダおよび被写体ホルダの少なくとも一方が、前記筒状体に対して移動可能に取り付けられていることを特徴とする請求項１記載の２次元バーコード読取装置。
【請求項３】
前記携帯電話は、２次元バーコードを音声で読み上げる機能を有することを特徴とする請求項１記載の２次元バーコード読取装置。
【請求項４】
前記２次元バーコードは、ＱＲコードであることを特徴とする請求項１から請求項３のいずれかに記載の２次元バーコード読取装置。
【請求項５】
前記２次元バーコードは、ＳＲコードであることを特徴とする請求項１から請求項３のいずれかに記載の２次元バーコード読取装置用補助装置。
【請求項６】
前記２次元コードが印刷された被写体は所定量の薬剤が包装された分包紙であることを特徴とする請求項１から請求項５のいずれかに記載の２次元バーコード読取装置。
【発明の詳細な説明】
【技術分野】
【０００１】  本発明は、２次元バーコード読取装置に関し、詳しくは、携帯電話に組み込まれているカメラ機能を用いて２次元バーコードを読み取る装置に関するものである。
【背景技術】
【０００２】  ２次元バーコードは、同一印刷面積当たりに一般的な文字列に比べてはるかに大量の情報を書き込めることから、いろいろな分野における情報伝達手段としても広く利用されつつあり、一般消費者の日常生活にも身近なものになりつつある。【０００３】  ところで、近年における携帯電話の多機能化はめざましく、携帯電話に組み込まれているカメラで光学的に読み取った文字列や文字列がコード化された各種コードを音声で読み上げることも実用化されている。【０００４】  たとえば、印刷物に印刷されたり、パソコンのモニタ画面に表示されている２次元バーコードを、２次元バーコードに変換されている文字列の内容を読み上げる機能を有する携帯電話に組み込まれているカメラで読み取ることにより、２次元バーコードに変換されている文字列の内容を音声出力で認識把握できる。【０００５】  従来から、たとえば特許文献１に記載されているように、必要な情報を２次元バーコードとして印刷し、携帯電話に組み込まれているカメラで読み取ることが提案されている。【０００６】
【特許文献１】  特開２００２−２３２５８４
【発明の開示】
【発明が解決しようとする課題】
【０００７】  しかし、一般的な携帯電話は健常者が使用することを前提に設計されているので、視覚障害のある人が２次元バーコードを読み取るとともに音声読上げ機能を活用するのにあたっては、かなりの苦労を強いられることになる。【０００８】  また視覚障害がなくても、高齢者や手の運動機能に障害がある人が、携帯電話に組み込まれているカメラで２次元バーコードを読み取るために、携帯電話を手ぶれなく安定に保持することは困難である。【０００９】  本発明は、このような従来の問題点に着目したものであり、その目的は、視覚障害のある人や携帯電話を操作することが困難な人などでも、比較的簡単な操作で、２次元バーコードを的確に読み取ることができる２次元バーコード読取装置を提供することにある。
【課題を解決するための手段】
【００１０】  このような課題を達成する請求項１の発明は、
筒状体の一端開口部には組み込まれているカメラのレンズが他端開口部に対向するように携帯電話を保持する携帯電話ホルダが取り付けられ、
他端開口部には印刷された２次元バーコードが前記カメラの焦点範囲に位置するように被写体を保持する被写体ホルダが取り付けられたことを特徴とする２次元バーコード読取装置である。【００１１】  請求項２の発明は、請求項１記載の２次元バーコード読取装置において、前記携帯電話ホルダおよび被写体ホルダの少なくとも一方が、前記筒状体に対して移動可能に取り付けられていることを特徴とする。【００１２】  請求項３の発明は、請求項１記載の２次元バーコード読取装置用補助装置において、前記携帯電話は、２次元バーコードを音声で読み上げる機能を有することを特徴とする。【００１３】  請求項４の発明は、請求項１から請求項３のいずれかに記載の２次元バーコード読取装置において、前記２次元バーコードは、ＱＲコードであることを特徴とする。【００１４】  請求項５の発明は、請求項１から請求項３のいずれかに記載の２次元バーコード読取装置において、前記２次元バーコードは、ＳＰコードであることを特徴とする。【００１５】  請求項６の発明は、請求項１から請求項５のいずれかに記載の２次元バーコード読取装置において、前記２次元コードが印刷された被写体は所定量の薬剤が包装された分包紙であることを特徴とする。
【発明の効果】
【００１６】  これらにより、利用者は、携帯電話ホルダに所定の方向で携帯電話を取り付けて被写体ホルダに所定の方向で被写体を取り付け、携帯電話のコード読み取り開始ボタンを操作するという単純な作業を行うだけで、被写体に印刷された２次元バーコードの文字列の内容を正確に把握できる。
【発明を実施するための最良の形態】
【００１７】  以下、本発明について、図面を用いて説明する。図１は本発明の一実施例を示す構成図である。図１において、筒状体１０は両端１１，１２がたとえば矩形に開口されていて、たとえばプラスチック板や厚紙などで構成されている。【００１８】  筒状体１０の一端１１の開口部には、携帯電話ホルダ２０が取り付けられている。この携帯電話ホルダ２０は、カメラが組み込まれている携帯電話３０を組み込まれているカメラのレンズ３１が他端１２の開口部に対向するように収納保持するものであり、筒状体１０の一端１１の開口部上下面を挟持するようにコ字形に形成されたベース２１と、携帯電話３０を組み込まれているカメラのレンズ３１が他端１２の開口部に対向するように収納保持する保持部２２とで構成されている。この携帯電話ホルダ２０も、たとえばプラスチック板や厚紙などで構成されている。【００１９】  ベース２１の中央部分には、携帯電話３０のメーカーや機種によって異なるカメラのレンズ３１の位置の違いを解決するために、長手方向に沿って切り抜かれた矩形の窓部２１ａが設けられている。また、ベース２１の上下部折り曲げ辺２１ｂ，２１ｃの少なくとも一方たとえば上部折り曲げ辺２１ｂの筒状体１０との対向面には、筒状体１０の一端１１の開口部上面に列状に設けられている携帯電話ホルダ２０の水平方向の取り付け位置を決めるための位置決め体１３と互いに嵌め合うように、複数の位置決め体２１ｄが設けられている。【００２０】  保持部２２の開口上部には、携帯電話３０の挿入端部３２を迅速確実に保持部２２の開口部に案内するように、テーパーガイド辺２２ａ〜２２ｃが設けられている。なお、ベース２１に対する保持部２２の垂直方向の取り付け位置は、ベース２１の窓部２１ａの両側辺近傍に長手方向に沿って複数の取り付け穴２１ｅ，２１ｆを設けるとともに、保持部２２のベース２１との対向面にはこれら取り付け穴２１ｅ，２１ｆに挿抜可能に係り止めされる図示しないＬ字形の係止ピンを設けておくことにより、任意に調整できる。【００２１】  筒状体１０の他端開口部１２には、被写体ホルダ４０が取り付けられている。この被写体ホルダ４０は、被写体５０に印刷された２次元バーコード５１が携帯電話３０のカメラのコード撮影モードでの焦点範囲に位置するように被写体５０を保持するものであり、筒状体１０の他端１２の開口部上面と対向するようにＬ字形に形成されたベース４１と、印刷された２次元バーコード５１が携帯電話３０のカメラのレンズ３１と対向するように収納保持する保持部４２とで構成されている。この被写体ホルダ４０は、たとえば透明のプラスチック板で構成されている。【００２２】  ベース４１の上部折り曲げ辺４１ａの筒状体１０との対向面には、筒状体１０の他端１２の開口部上面に列状に設けられている被写体ホルダ４０の水平方向の取り付け位置を決めるための位置決め体１４と互いに嵌め合うように、複数の位置決め体４１ｂが設けられている。【００２３】  保持部４２の開口上部には、被写体５０の挿入端部５２を迅速確実に保持部４２の開口部に案内するように、テーパーガイド辺４２ａ〜４２ｃが設けられている。なお、ベース４１に対する保持部４２の垂直方向の取り付け位置は���ベース４１の両側辺近傍に長手方向に沿って複数の取り付け穴４１ｃ，４１ｄを設けるとともに、保持部４２のベース４１との対向面にはこれら取り付け穴４１ｃ，４１ｄに挿抜可能に係り止めされるＬ字形の係止ピン４２ｄ，４２ｅを設けておくことにより、任意に調整できる。【００２４】  図２は図１の動作説明図であり、組み込まれているカメラのレンズ３１が他端１２の開口部に対向するように携帯電話３０が携帯電話ホルダ２０に収納保持され、印刷された２次元バーコード５１が携帯電話３０のカメラのレンズ３１と対向するように被写体５０が被写体ホルダ４０に収納保持された状態を示している。【００２５】  ここで、携帯電話３０のカメラのレンズ３１と被写体５０との距離Ｌは、図２には図示しない筒状体１０により、被写体５０に印刷された２次元バーコード５１が携帯電話３０のカメラのコード撮影モードにおける焦点範囲に位置するように調整されているので、使用者は、携帯電話３０のカメラをコード撮影モードに設定して携帯電話ホルダ２０に所定の方向で収納保持させ、被写体５０を被写体ホルダ４０に所定の方向で収納保持させて、携帯電話３０のコード読み取り開始ボタンを操作するだけの比較的簡単な操作で、被写体に印刷された２次元バーコードの文字列の音声読み上げを聞くことができ、内容を正確に把握できる。【００２６】  特に、被写体５０を所定量の薬剤が包装された分包紙とすることにより、１回に複数の分包紙に包装された薬剤を服用する場合や、１日の服用指示が複雑な場合であっても、それらの服用指示の文字列を分包紙に２次元バーコード化しておくことにより、誤服用を大幅に改善できる。【００２７】  なお、被写体５０に印刷される２次元バーコード５１は、視覚障害者用に特化されたＳＰコード（登録商標）であってもよいし、各種産業分野で広く用いられているＱＲコード（登録商標）であってもよいが、現状の携帯電話に組み込まれている２次元バーコードの音声読み上げ機能の大半はＱＲコード対応であることから、ＱＲコードが現実的な選択といえる。【００２８】  また、図１に示す筒状体１０は、使うときにだけ筒状体１０に組み立てて使わないときは折り畳み格納するようにしてもよく、携帯や保管に便利である。【００２９】  また、筒状体１０も被写体ホルダ４０と同様な透明プラスチックで構成することによって、室内光であっても２次元バーコード５１の読み取りに必要な明るさを得ることができるが、必要に応じて筒状体１０の内部に発光ダイオードなどの補助光源を組み込むようにしてもよい。【００３０】  また、必要に応じて筒状体１０の底部に図３に示すようなスペーサ６０を設け、携帯電話３０が操作しやすいように全体を傾斜させてもよい。【００３１】  また、携帯電話３０に組み込まれているカメラに自動焦点調整機能がない場合、図４に示すように筒状体１０を重ね合わせて伸縮可能にすることにより、機種ごとの焦点距離の違いに対応できる。【００３２】  また、筒状体１０は、図５に示すようにペットボトルの直管部分を切り出し、両端にそれぞれ携帯電話ホルダ２０と被写体ホルダ４０を取り付けるようにしてもよい。【００３３】  さらに、被写体は、２次元バーコードが印刷されたカードであっても��い。【００３４】  以上説明したように、本発明によれば、視覚障害のある人や携帯電話を操作することが困難な人などでも、比較的簡単な操作で、２次元バーコードを的確に読み取ることができる２次元バーコード読取装置を実現でき、自立支援手段としても有効である。
【図面の簡単な説明】
【００３５】
【図１】  本発明の一実施例を示す構成図である。
【図２】  本発明の動作説明図である。
【図３】  本発明の他の実施例を示す構成図である。
【図４】  本発明の他の実施例を示す構成図である。
【図５】  本発明の他の実施例を示す構成図である。
【符号の説明】
【００３６】  １０  筒状体
２０  携帯電話ホルダ
３０  携帯電話
４０  被写体ホルダ
５０  被写体
６０  スペーサ
【図１】
2009087306.tif 000003
【図２】
2009087306.tif 000004
【図３】
2009087306.tif 000005
【図４】
2009087306.tif 000006
【図５】
2009087306.tif 000007